(57)【特許請求の範囲】
【請求項１】
建物ユニットの側壁部に規定寸法の開口部が複数形成され、この開口部が、諸設備が設けられた機能付きの壁ユニットの取り付けられたものにも、通常の外壁面が設けられた壁ユニットの取り付けられたものにも、通路口にもなるものであって、この開口部を通路口として母屋の外壁部に形成された開口部に連結して建物ユニットを増設することを特徴とする建物の増設方法。
【請求項２】
建物ユニットの開口部がフレーム柱間の壁面部に形成されていることを特徴とする請求項１記載の建物の増設方法。
【請求項３】
母屋の開口部と、建物ユニットの開口部とが連絡通路を介して連結されていることを特徴とする請求項１又は２記載の建物の増設方法。
【請求項４】
母屋に連結された建物ユニットの母屋の開口部に連結された開口部とは別の開口部を通路口として、この通路口に、他の建物ユニットの開口部を通路口として連結することを特徴とする請求項１、２又は３記載の建物の増設方法。
【請求項５】
他の建物ユニットには開口部が複数設けられ、他の建物ユニットの建物ユニットに連結されていない別の開口部を通路口として、この通路口に、さらに別の建物ユニットの開口部を通路口として連結することを特徴とする請求項４記載の建物の増設方法。
【請求項６】
母屋の外壁部の延設方向に沿って複数の建物ユニットを配置することを特徴とする請求項１〜４のいずれか１項記載の建物の増設方法。
【請求項７】
建物の増設部分が、介護用住宅であることを特徴とする請求項１〜６のいずれか１項記載の建物の増設方法。
【請求項８】
請求項１〜７に記載の増設された建物の増設部分の建物ユニットを撤去し、元の状態の母屋に戻すことを特徴とする建物の減設方法。
【請求項９】
請求項１〜７に記載の増設された建物の増設部分の建物ユニットを撤去し、撤去した建物ユニットを他の場所で使用することを特徴とする建物ユニットの利用方法。
【発明の詳細な説明】
【０００１】
【産業上の利用分野】
この発明は、建物の増設方法、建物の減設方法及び建物ユニットの利用方法に関するものである。
【０００２】
【従来の技術】
従来から、規定寸法に規格化された建物ユニットを工場で生産して、これらの建物ユニットを建築現場で組み合わせることにより、ユニット建物を建築現場で短期間で構築することが行われている（例えば、特開平５−２３０８８３号公報等参照）。
【０００３】
【発明が解決しようとする課題】
しかしながら、従来の建物は、壁面部の内，外面に、給排水設備等、諸設備を追加する場合、壁部に開口を形成して、雨仕舞い施工を行うか或いは、壁面全面を変更しなければならない。
【０００４】
また、交換された壁面部は、寸法の異なる他の建物ユニットに、そのまま用いることが困難であった。
【０００５】
そこで、この発明は、建物に、建物ユニットの追加、撤去を容易に行うことができる建物の増設方法、建物の減設方法及び建物ユニットの利用方法を提供することを目的とするものである。
【０００６】
【課題を解決するための手段】
この目的を達成するため、請求項１の発明は、建物ユニットの側壁部に規定寸法の開口部が複数形成され、この開口部が、諸設備が設けられた機能付きの壁ユニットの取り付けられたものにも、通常の外壁面が設けられた壁ユニットの取り付けられたものにも、通路口にもなるものであって、この開口部を通路口として母屋の外壁部に形成された開口部に連結して建物ユニットを増設することを特徴とする建物の増設方法である。
【０００７】
この構成によれば、母屋の開口部に建物ユニットの開口部を通路口として連結することにより、建物ユニットを容易に連結して増設することができる。
【０００８】
また、請求項２の発明は、請求項１記載の建物の増設方法において、建物ユニットの開口部がフレーム柱間の壁面部に形成されていることを特徴とする建物の増設方法である。
【０００９】
この構成によれば、建物ユニットの開口部がフレーム柱間の壁面部に形成されているので、開口部が、例えば、車椅子を用いる要介護者等の通行に必要とされる開口面積を充分確保出来る。
【００１０】
請求項３の発明は、請求項１又は２記載の建物の増設方法において、母屋の開口部と、建物ユニットの開口部とが連絡通路を介して連結されていることを特徴とする建物の増設方法である。
【００１１】
この構成によれば、母屋の開口部と、建物ユニットの開口部とが連絡通路を介して連結されているので、増設された建物ユニット部分は、母屋に対して離れとなって使い勝手のよいものとなる。
【００１２】
請求項４の発明は、請求項１、２又は３記載の建物の増設方法において、母屋に連結された建物ユニットの母屋の開口部に連結された開口部とは別の開口部を通路口として、この通路口に、他の建物ユニットの開口部を通路口として連結することを特徴とする建物の増設方法である。
【００１３】
この構成によれば、母屋に連結された建物ユニットの母屋の開口部に連結された開口部とは別の開口部に、他の建物ユニットの開口部を連結するので、広い増設部分が得られ、使い勝手がよいものとなる。
【００１４】
請求項５の発明は、請求項４記載の建物の増設方法において、他の建物ユニットには開口部が複数設けられ、他の建物ユニットの建物ユニットに連結されていない別の開口部を通路口として、この通路口に、さらに別の建物ユニットの開口部を通路口として連結することを特徴とする建物の増設方法である。
【００１５】
この構成によれば、他の建物ユニットには開口部が複数設けられ、他の建物ユニットの建物ユニットに連結されていない別の開口部に、さらに別の建物ユニットの開口部を連結するので、さらに広い増設部分が得られ、使い勝手がよいものとなる。
【００１６】
請求項６の発明は、請求項１〜４のいずれか１項記載の建物の増設方法において、母屋の外壁部の延設方向に沿って複数の建物ユニットを配置することを特徴とする建物の増設方法である。
【００１７】
この構成によれば、母屋の外壁部の延設方向に沿って複数の建物ユニットを配置するので、広い増設部分が得られ、設置スペース効率を敷地形状に合わせて有効に利用できる。
【００１８】
請求項７の発明は、請求項１〜６のいずれか１項記載の建物の増設方法において、建物の増設部分が、介護用住宅であることを特徴とする建物の増設方法である。
【００１９】
この構成によれば、請求項１〜６のいずれか１項記載の建物の増設方法においては、開口部が、例えば、車椅子を用いる要介護者等の通行に必要とされる開口面積を充分確保出来、容易に介護用住宅を増設できる。
【００２０】
請求項８の発明は、請求項１〜７に記載の増設された建物の増設部分の建物ユニットを撤去し、元の状態の母屋に戻すことを特徴とする建物の減設方法である。
【００２１】
この構成によれば、増設部分が不要になった際には、その増設部分が容易に撤去して元の母屋に戻すことができる。
【００２２】
請求項９の発明は、請求項１〜７に記載の増設された建物の増設部分の建物ユニットを撤去し、撤去した建物ユニットを他の場所で使用することを特徴とする建物ユニットの利用方法である。
【００２３】
このように構成されたものでは、撤去した建物ユニットを他の場所でリサイクルできる。
【００２４】
【発明の実施の形態１】
以下、この発明の実施の形態１を図面に基づいて説明する。
【００２５】
図１，２は、この発明にかかるシステム壁構造、該システム壁構造に用いられる壁ユニット及び該システム壁構造を用いた建物ユニットによって構成されるユニット建物１を示している。
【００２６】
この図１のユニット建物１は、図示しない傾斜屋根部を有する大型の建物ユニット１０と、折版平板屋根部（図示せず）を有する。また、図２のユニット建物１は、図示しない傾斜屋根部を有し且つ前記建物ユニット１０よりも長手方向長さを短く設定された中型の建物ユニット１１と、折版平板屋根部（図示せず）によって主に構成されている。なお、前記建物ユニット１１は、長手方向の長さ設定が短く設定されている他は、この建物ユニット１０と基本構成を略同一とするものである。従って、前記建物ユニット１０の構成について説明し、建物ユニット１１の建物ユニット１０と同一又は類似する部分には建物ユニット１０と同一の符号を付して、建物ユニット１１の説明は省略する。
【００２７】
この建物ユニット１０は、図３に示されるように、フレーム枠体としての金属製の一対の天井梁１２，１２及び妻梁１３，１３で構成された略矩形形状の上面部１４と、フレーム枠体としての一対の床梁１５，１５及び妻梁１６，１６で構成された略矩形形状の下面部１７とを有している。
【００２８】
これらの上面部１４の四隅及び対向する下面部１７の四隅間は、ジョイントピース１９，１９を介して、各々四本の中空のフレーム枠体としての柱材１８…の上，下端部１８ａ，１８ｂに接合されて、略ボックス形状のラーメン構造体２０が形成されている。
【００２９】
このラーメン構造体２０の側面部には、予め壁面部材２１が、貼設されている。
【００３０】
この壁面部材２１は、図１，２に示すように、主に、防水性能を有する外壁部材２１ａと、内壁部材２１ｂと、これらの外壁部材２１ａ及び内壁部材２１ｂとの間に介在される断熱材２１ｃとから構成されている。
【００３１】
また、前記下面部１７には、図５に示すように、所定間隔を置いて設けられた複数の床根太２５…の上に、板状の床仕上材２６が取り付けられている。この床仕上材２６には、上下に貫通する配管用開口２７が形成されている。そして、この建物ユニット１０載置時に、床下で配管を接続した後、この配管用開口２７をカバー部材２８で覆うように構成されている。このカバー部材２８の表面は、床仕上材の意匠と同じ意匠となるように構成されている。
【００３２】
この建物ユニット１０には、図１に示したように、長手方向の半分にサニタリ室の一例である浴室２９が設けられている。即ち、長手方向半分の内側に防水空間が形成されたサニタリ室としている。
【００３３】
浴室２９には、建物ユニット１０の長手方向半分の内側に取り付けられ且つ防水処理が施された前記内壁部材２１ｂ，洗い場２９ａ，浴槽本体２９ｂ，洗面台２９ｃ等が設けられている。
【００３４】
そして、前記建物ユニット１０には、規定寸法（この実施の形態１では、後述する２壁ユニット分の幅を有している）の開口部３１…が予め形成されている。この実施の形態１の建物ユニット１０では、妻側側面に２カ所、両桁側側面に２カ所づつ、合計６箇所の開口部３１…が形成されている。また、図２に示す前記建物ユニット１１では、妻側側面に２カ所、一桁側側面に２カ所、合計４箇所の開口部３１…が、前記フレーム柱としての前記柱材１８，１８間に形成されている。
【００３５】
この開口部３１には、開閉塞可能な壁ユニットとして、図４に示す通常の外壁部材２２を有する通常壁ユニット３３の他、機能付き壁ユニットとして、図７に示す掃き出し窓部３４ａを設けた窓付き壁ユニット３４、図８に示す様なドア開口３５ｂに、勝手口ドア本体３５ａを開閉可能に有するドア付き壁ユニット３５、図９に示すような空調機の室外機３６ａ等の収納棚３６ｂを外壁部材２２外側面に設けて、内壁には室内機を設けた棚付き壁ユニット３６、若しくは、図１０に示す出窓部３７ａを設けた出窓付き壁ユニット３７等を有し、使用目的に応じて適宜装脱着されて、交換可能となるように構成されている。
【００３６】
これらの各壁ユニット３３〜３７には、各々外壁部材２２よりも小さい外形を有して裏面側に設けられる前記柱材１８と略同一厚みで略方形状に形成される木枠フレーム３８を介して、前記内壁部材２３が貼設されていて、内部に適宜前記断熱材２４が介在されている。
【００３７】
また、これらの外壁部材２２裏面側両側縁近傍には、左右一対の着脱フレーム（取付ステイ部材）３９，３９が固着されている。
【００３８】
更に、前記開口部３１…には、金属製のスタッド３２…が、所定間隔を置いて配設される。このスタッド３２は、断面略コ字状を呈すると共に、図３に示すように、上，下端面３２ａ，３２ｂが、ボルト部材４０，４０によって各々前記天井梁１２，妻梁１３及び床梁１５，妻梁１６に固定されている。
【００３９】
また、前記壁ユニット３３，３３等が対となって隣接する箇所のスタッド３２，３２では、図６に示すように、これらの各スタッド３２，３２の凹部に嵌合される木ブロック３２ｃ，３２ｃが設けられている。そして、これらの木ブロック３２ｃ，３２ｃには、カバー部材３２ｄがネジ止め等で固定されている。このカバー部材３２ｄの表面には、仕上げ材３２ｅが貼設されている。この仕上げ材３２ｅの表面は、内壁部の表面の意匠と同一の意匠が施されている。
【００４０】
そして、前記左，右一対の取付着脱フレーム３９，３９をこのスタッド３２，３２に各々ボルト部材等の固定手段（取付手段）を用いて装着される事により、各壁ユニット３３〜３７が、交換可能に装着される。
【００４１】
また、この実施の形態１では、図４に示すように、四隅コーナー部に位置する前記柱材１８外側面には、略Ｌ字状断面を有するコーナーピース部材２２ａが適宜装着されている。このコーナーピース部材２２ａの外側面は、後述する各壁ユニット３３等の装着状態で、各壁ユニット３３の外壁部材２２の外側面と略面一となるように設定されている。
【００４２】
また、諸設備を有する機能付き壁ユニットとしての収納部付壁ユニット４１は、図１１に示したように、内部設備としての収納箪笥４２を有する。この収納箪笥４２は、上部に観音開きの収納部４３ａ及び下部に引き出し部４３ｂ，４３ｃを有している。
【００４３】
更に、他の諸設備を有する機能付き壁ユニットとしての載置台付壁ユニット４４は、図１２に示したように、内部設備としての載置台４５が設けられている。この載置台４５は、テレビを載置したり、置物や花瓶等を載置したりするのに使用できる。
【００４４】
更に、他の諸設備を有する機能付き壁ユニットとしての補強部材付壁ユニット４６では、図１３に示したように、この断熱パネルを構成する壁面部材４７の石膏ボード３０ａの内面両側部に固着され且つ上下に延びる補強部材（補強金属板）５６，５６と、この補強部材５６と石膏ボード３０ａに跨って固定されたボルト受（内部設備）５７を有する。このボルト受５７は、上下に間隔をおいて多数設けられている。そして、このボルト受５７のタップ穴５７ａに図１４のごとく、所定重量物を吊り下げ可能な掛け置き部材５８のブラケット５９が、タップネジ６０で取り付けられる。
【００４５】
そして、他の諸設備を有する機能付き壁ユニットとしての図１５に示した洗面器付壁ユニット４８は、断熱パネルを構成する壁面部材４７の内面に内部設備としての洗面器６１を取り付け、洗面器６１への蛇口６２を設け、この蛇口（水栓金具）６２への給水管（給水パイプ）６３及び洗面器６１からの排水管（排水パイプ）６４を設けると共に、鏡６５及び小物棚６６，６７，６８を設けた構成としている。
【００４６】
また、図１６に示した洗面器付壁ユニット７０は、石膏ボード３０ａの内面に内部設備としての洗面器６１を取り付け、洗面器６１への蛇口６２を設け、この蛇口（水栓金具）６２への給水管（給水パイプ）６３及び洗面器６１からの排水管（排水パイプ）６４を設けると共に、鏡６５及び照明６９を設けて構成されている。
【００４７】
そして、図１７に示した蛇口６２への給水管６３及び洗面器６１からの排水管６４を配管開口２７から床下に配管する。また、給水管６３及び排水管６４の露出部は、カバー部材７１でカバーされると共に、前記配管用開口２７は、カバー部材７２で閉成される。
【００４８】
尚、図１８に示す他の機能付き壁ユニットとしての水タンク付壁ユニット７３では、水タンク７４に、便器７５が接続固定して使用される。この場合、図示は省略したが、便器７５からの図示しない排水管や水タンク７４への給水管（図示せず）等も、蛇口６２への給水管６３及び洗面器６１からの排水管６４と同様にして床下に配管される。
【００４９】
次に、このシステム壁構造、該システム壁構造に用いられる壁ユニット及び該システム壁構造を用いたユニット建物の使用例を説明する。
【００５０】
前記図１に示すような建物ユニット１０の各開口部３１，３１には、前記通常壁ユニット３３又は、前記機能付き壁ユニットである窓付き壁ユニット３４又は、ドア付き壁ユニット３５等が、前記スタッド３２，３２に前記取り付け着脱フレーム３９，３９をボルト部材等を用いて装脱着されることにより、容易に交換可能に取り付けられる。
【００５１】
前記機能付き壁ユニット３５等には、種々の機能を有する諸設備を配置出来、屋外側から、木枠フレーム３８を前記スタッド３２，３２及び天井梁１２，床梁１５等フレーム部材の内側面に内嵌着されて安定して固定され、直ちに、これらの諸設備の機能を発揮させることが出来る。
【００５２】
例えば、図１９に示したように、浴室２９側から見た場合において、左側の２つの開口部３１，３１に洗面器付壁ユニット４８，又は７０及びトイレ用の水タンク付壁ユニット７３を装着し、右側の開口３１，３１の一つにドア付壁ユニット３５を装着して勝手口とし、正面の開口３１，３１の一つにドア付壁ユニット３５を装着して、母屋等への通路口とする。尚、他の開口３１は、例えば、前記通常壁ユニット３３で閉成される。
【００５３】
このように、前記ドア付壁ユニット３５を前記ユニット建物１の開口部３１，３１の何れかに組み付けるのみで、前記ドア開口が形成されて、前記ドア本体３５ａの設置が完了する。従って、勝手口や建物ユニット１０，１１間の通路等を目的の位置に容易に設けることができる。
【００５４】
また、この実施の形態１では、図１に示すように、壁面部の開口部３１に対応する部分に位置する床仕上材２６に形成された各配管用開口２７，２７が、前記カバー部材２８等で覆われる。
【００５５】
従って、前記洗面器付壁ユニット４８又は７０等を多数の開口３１の一つに取り付けた場合には、洗面器付壁ユニット４８が取り付けられた開口３１に対応する部分のカバー部材２８の代わりに、また、予め取り付けられている場合には、一旦、取り外されて、図１７のごとく、前記給水管６３，６４が配管開口２７から床下に挿通されて配管接続される。  そして、給水管６３，６４の露出部をカバー部材７１でカバーすると共に、カバー部材７２を取り外した部分に装着して、配管用切欠７２ａにより干渉が回避されて閉成される。
【００５６】
尚、図１８に示す他の機能付き壁ユニットとしての水タンク付壁ユニット７３では、水タンク７４に、便器７５が接続固定して使用される。この場合、図示は省略したが、便器７５からの図示しない排水管や水タンク７４への給水管（図示せず）等も、前記給水管６３，６４と同様にして床下に配管される。
【００５７】
このように、目的に応じた内部設備が組み込まれた前記洗面器付壁ユニット４８等を選択して、前記開口部３１に取り付けることで、前記建物ユニット１内に、目的に応じて任意に機能を組み合わせ必要な内部設備を容易に組み付けて直ちに使用することができる。
【００５８】
また、これらの開口部３１は、フレーム柱としての柱材１８，１８間に形成されているので、この開口部３１周縁に耐力構造を用いる必要がなく、前記スタッド３２，３２等の取り付け手段を用いて、大きさを、壁ユニットの寸法単位に適した所望の大きさに設定できる。例えば、この実施の形態１では、前記スタッド３２，３２により、一壁面に対となる２カ所の開口部３１，３１を設けて、２つの壁ユニットを装着できる様にしている。
【００５９】
しかも、この実施の形態１では、図１又は図３に示すように、前記開口部３１，３１を建物ユニット１０の長手方向略半分に偏在させているので、この建物ユニット１０の長手方向の反対側略半分に、浴室２９等の固定される機能を集中させることが出来る。
【００６０】
このため、更に、前記諸設備を装着し易く、また、連絡通路７６等と開口部３１とを連通させて充分、車椅子を用いる要介護者等の通行に必要とされる開口面積を確保でき、介護用住宅を増設する際にも好適である等、多様な居住者のニーズに応えることができる。
【００６１】
【変形例１】
また、図２０に示したように、変形例１の建物ユニット１０１では、浴室２９側から見た場合において、洗面器付壁ユニット４８又は７０及びトイレ用の水タンク付壁ユニット７３を正面の開口３１，３１に装着し、右側の開口３１，３１の一つにドア付き壁ユニット３５を装着して勝手口とし、左側の開口３１，３１の一つにドア付き壁ユニット３５を装着して、母屋への連絡通路７６が形成されている。
【００６２】
【変形例２】
図２１に示すように前記棚付壁ユニット８０では、外壁パネル２２外側面に外部諸設備としての収納棚８１が形成されている。この収納棚８１は、下の棚８１ａに例えばプロパンボンベ８２や浄水器８３を収納し、上の棚８１ｂにガス給湯器８４が収納されている。
【００６３】
このように構成された変形例２の棚付壁ユニット８０を、前記開口部３１に装着して、直ちに前記ガス給湯器８４等の諸設備を使用することができる。
【００６４】
他の構成及び作用、効果は、前記実施の形態１の各壁ユニット３６等と略同一であるので説明を省略する。
【００６５】
【発明の実施の形態２】
図２２，２３は、この発明の実施の形態２の前記システム壁構造を用いたユニット建物２０１を示すものである。なお、前記実施の形態１と同一乃至均等な部分については同一符号を付して説明する。
【００６６】
浴室２９側から見た場合において、図２２の（ａ）の構成（図１９の構成）の建物ユニット１０の右側に他の建物ユニット１１０を用いて部屋（例えば寝室）を増設する  合、右側のドア付壁ユニット３５を、前記開口部３１から取り除くと共に、図２２（ｂ）に示したように、前記建物ユニット１０のドア付壁ユニット３５を取り除いた部分の開口３１と建物ユニット１１０の開口部３１とを対向させて、配置する。
【００６７】
そして、対向する開口３１，３１間が連絡通路９０で接続される。
【００６８】
この連絡通路９０は、建物ユニット１０，１１０間の側部を覆う側板９１，９１と、建物ユニット１０，１１０の床根太２５，２５間に掛け渡された床パネル９２と、建物ユニット１０，１１０の天井パネル１０ａ，１０ａ間に掛け渡された天井パネル９３とを有する。そして、この連絡通路９０の一建物ユニット１１０側には、ドア９４が設けられている。
【００６９】
このように構成された実施の形態２のシステム壁構造を用いたユニット建物２０１では、前記ユニット建物２０１を構成する建物ユニット１０の壁面部の開口部３１を、隣接配置される他の建物ユニット１１０の壁面部の開口部３１と一致するように配置すれば、前記側板９１，９１、床パネル９２、及び天井パネル９３等の簡易な構成の連結通路９０を、これらの開口部３１，３１間に形成することにより、雨仕舞いが略完了して施工性が良好である。
【００７０】
また、車椅子を用いる要介護者等の通行に必要とされる開口面積を確保でき、介護用住宅として使用した後は、再び、前記建物ユニット１１０等を撤去して元の状態に戻すと共に、撤去された建物ユニット１１０等は、他の場所でリサイクル利用出来る。この際、必要に応じて、前記開口部３１に、前記機能付き壁ユニット３４等又は、前記通常壁ユニット３３を交換して取り付けて、使用者の多様なニーズに応えることが低コストで実現出来る。
【００７１】
以上、本発明の実施の形態１，２を説明したが、本発明は前記実施の形態１，２に限定されるものではなく、本発明の要旨を逸脱しない範囲の設計変更等があっても本発明に含まれる。
【００７２】
例えば、前記実施の形態２のユニット建物２０１では、建物ユニット１０を増設しているが、特にこれに限らず、例えば、図２に示す建物ユニット１１を増設するようにしてもよい。
【００７３】
【発明の実施の形態３】
この発明の実施の形態３において、上述した実施例と同一又は類似する部分には上述した符号と同じ符号を付して、その説明を省略する。
【００７４】
上述した発明の実施の形態１の壁ユニット３３〜３７，４１，４４は、外壁部材２２と内壁部材２３が木枠フレーム３８を介して一体に固定されていて、外壁部材２２と内壁部材２３が開口部３１等に一体に組み付けられる構造となっているが、必ずしもこれに限定されるものではない。この壁ユニット３３〜３７，４１，４４の外壁部材２２と内壁部材２３を別体に設けて、外壁部材２２と内壁部材２３を別々に開口部３１等に組み付けるようにしても良い。
【００７５】
図２４〜図２８は、壁ユニット３３〜３７，４１，４４の分離した外壁部材２２と内壁部材２３の例を示したものである。即ち、図２４は通常壁ユニット３３の外壁部材２２の例を示し、図２５は窓付き壁ユニット３４の外壁部材２２を示し、図２６はドア付き壁ユニット３５の外壁部材２２を示し、図２７は壁ユニット３６の外壁部材２２を示し、図２８は出窓付き壁ユニット３７の外壁部材２２を示したものである。外壁部材２２の端部には上下方向に延びる着脱フレーム３９が一体に設けられている。
【００７６】
図２９，３０は壁ユニット４１，４４の分離した内壁部材２３の例を示したものである。即ち、図２９は壁ユニット４１の収納部４３ａや収納箪笥４２が設けられた内壁部材２３を示し、図３０は壁ユニット４４の載置台４５が設けられた内壁部材２３を示したものである。この図２９，３０の内壁部材２３の端部には木枠フレーム３８が一体に設けられている。
【００７７】
図３１〜図３３は、壁ユニット７０，７３の分離した内壁部材２３の例を示したものである。即ち、図３１，３２は壁ユニット７０の洗面器６１が設けられた石膏ボード３０ａを有する内壁部材を示し、図３３は壁ユニット７３の水タンク７４が設けられた石膏ボード３０ａを有する内壁部材を示したものである。この図３１〜３３の石膏ボード３０ａには木枠フレーム３８が一体に設けられて内壁部材となされている。
【００７８】
更に、図３４は全面が壁の機能のみを有する内壁部材２３である例を示し、図３５は窓部２３ａが設けられた内壁部材２３を示し、図３６は通路２３ｂが設けられた内壁部材２３を示したものである。この内壁部材２３にも木枠フレーム３８が一体に設けられている。
【００７９】
本実施例では、図２４〜図２６の外壁部材２２と図２９〜図３６の内壁部材２３を適宜組み合わせて開口部３１等に取り付けることで、種々の機能を持った壁ユニットを形成できる。
【００８０】
【発明の実施の形態４】
図３７は本発明の実施の形態４を示したものである。尚、上述した実施例と同じ又は類似する部分には、上述した実施例における符号と同一符号を付して説明する。
＜出隅用柱１７０＞
建物ユニットの上面部１４と下面部１７の四隅間には上述したように柱材１８が介装され、この柱材１８の上端部１８ａには天井梁１２及び妻梁１３の端部がジョイントピース１９，１９を介して固定され、柱材１８の下端部１８ｂには床梁１５，妻梁１６の端部がジョイントピース１９，１９を介して固定されている。そして、天井梁１２，床梁１５側に位置して柱材１８の上端部１８ａと下端部１８ｂの固定された上下のジョイントピース１９，１９間の（出隅）、及び、妻梁１３，１６側に位置して柱材１８の上端部１８ａと下端部１８ｂの固定された上下のジョイントピース１９，１９間（出隅）には出隅用柱１７０，１７０がそれぞれ介装されている。これにより、建物ユニットの上面部１４の四隅は柱材１８及び出隅用柱１７０で下面部１７の四隅に支持されている。１７７は、出隅用柱１７０，１７０が設けられている出隅部を示したものである。
【００８１】
この出隅用柱１７０は、木柱１７２，Ｌ字状の幅狭スタッド部材１７３及び嵌着溝形成用の金具１７５を有する。このスタッド部材１７３の上端部１７３ａは前記上面部１４の天井梁１２又は妻梁１３の下面側に当接させて固着され、スタッド部材１７３の下端部１７３ｂは前記下面部１７の床梁１５又は妻梁１６の上面側に当接させて固着されている。そして、このスタッド部材１７３の外側面には、多数の取付孔１７３ｃ…が上下に所定間隔をおいて形成されている。
【００８２】
また、図４１，図４２の如く、上述の木柱１７２の開口部３１側の側面及び外側面は略Ｌ字状の幅狭スタッド部材１７３で覆われている。更に、この木柱１７２の前記柱材１８側の側面１７２ａには、図４２の如くビス１７４等を用いて嵌着溝形成用の金具１７５が固着されている。この嵌着溝形成用の金具１７５は水平断面略Ｊ字状を呈させると共に、嵌着溝形成用の金具１７５の先端部１７５ａと前記木柱１７２の内側面１７２ｂとを所定間隔離間させることにより、先端部１７５ａと内側面１７２ｂとの間に嵌着溝１７６を形成させている。
＜スタッド部材１７１＞
また、天井梁１２と床梁１５の長手方向の中間部間には、水平断面が略コ字状の幅広スタッド部材１７１が介装されている。これにより、天井梁１２の中間部は床梁１５に幅広スタッド部材１７１で支持されている。しかも、このスタッド部材１７１の外側面には、多数の取付孔１７１ｃ…が上下に所定間隔をおいて形成されている。しかも、この幅広スタッド部材１７１の内側には木製取付ブロック１７８が固着されている。
【００８３】
この柱材１８と幅広スタッド部材１７１との間には、天井梁１２と床梁１５との間に位置して開口部３１が形成されている。尚、また、スタッド部材１７１の上端部１７１ａは前記上面部１４の天井梁１２又は妻梁１３の下面側に当接させて固着され、スタッド部材１７１の下端部１７１ｂは前記下面部１７の床梁１５又は妻梁１６の上面側に当接させて固着されている。また、幅広スタッド部材１７１は天井梁１２と床梁１５間に間隔をおいて複数介装されていて、この複数の幅広スタッド部材１７１間にも開口部３１が形成される。
＜外壁部材２２＞
この開口部３１を閉成させる外壁部材２２の裏面の両側には、着脱フレーム３９，３９が上下方向に延設されている。この着脱フレーム３９には、所定間隔をおいて略Ｌ字状を呈する取付金具（外壁取付部材）１３８，１３８が複数固着されている。この取付金具１３８…には、取付孔１３８ａ…が各々形成されている。
【００８４】
そして、この実施の形態では、図３８又は図３９に示す様に幅広スタッド部材１７１の左右に外壁部材２２，２２が配設されている。この左右の外壁部材２２，２２の対向縁部取り付けた取付金具１３８，１３８は、取付孔１３８ａ…を貫通するビス１８０で幅広スタッド部材１７１へ着脱可能に取り付けられている。しかも、この左右の外壁部材２２，２２の対向縁部取り付けた取付金具１３８，１３８は、上下方向に交互に位置するように配置されている。
【００８５】
尚、左右の外壁部材の目地部にはガスケット部材で目地止めする。この取付金具１３８の取付孔１３８ａは、スタッド１７１，１７３の多数の取付孔１７１ｃ…，１７３ｃ…に対応して形成されている。
＜内壁部材２３＞
次に、図４０乃至図４１を用いて、内壁部材２３の取付構造について説明する。この内壁部材２３の左，右側端面２３ｃ，２３ｃには、略Ｌ字状に形成された取付金具（内壁取付部材）１３９，１３９が、所定間隔をおいて複数個設けられている。
【００８６】
この取付金具１３９…には、取付孔１３９ａ…が各々形成されている。そして、この実施の形態では、図３８又は図３９に示した複数の取付金具（外壁取付部材）１３８と同様に、内壁部材２３の左，右の取付金具１３９，１３９の位置が、隣接される他の内壁部材２３の取付金具１３９，１３９に対して干渉しない様に上下方向で交互位置となるように設けられている。即ち、隣接する内壁部材２３，２３の対向縁部、例えば木製取付ブロック１７８への対向縁部にそれぞれ設けた多数の取付金具１３９・・・  ，１３９・・・  は上下方向に交互に配置されている。
しかも、隣接する内壁部材２３，２３の木製取付ブロック１７８への対向縁部にそれぞれ設けた多数の取付金具１３９・・・  ，１３９・・・  は取付孔１３９ａを貫通する木ネジ１７９で木製ブロック１７８に着脱可能に取り付けられている。
【００８７】
また、内壁部材２３の出隅用柱１７０側に位置する取付金具１３９の突出部（耳部）は、金具１７５の先端部１７５ａと前記内側面１７２ｂとの間に形成された嵌着溝（係合溝）１７６に挿入嵌着されている。これにより、前記内壁部材２３が出隅用柱１７０にビス等の固定具なしで保持されている。
＜コーナ外壁部材２２ａ＞
更に、図３７に示すように、前記柱材１８の外側コーナ部には、コーナ外壁部材２２ａが貼設されて固定されている。このコーナ外壁部材２２ａは、柱材１８の外面，出隅用柱１７０の外面及び出隅用柱１７０に取り付けられた外壁部材２２の取付金具１３８をカバーするようになっている。
【００８８】
次に、この実施の形態の建物ユニット及びユニット建物の作用について説明する。
【００８９】
この建物ユニット１０，１１の開口部３１に、前記通常壁ユニット３３を装着する場合には、まず、開口部２の柱材１８が設けられた出隅部１７７には、前記幅狭スタッド部材１７３，１７３が、他の通常壁ユニット３３等が隣接する一側辺には、幅広スタッド部材１７１が、各々上下方向に長手延設方向を沿わせて、上端部１７３ａ，１７１ａを前記上面部１４の天井梁１２又は妻梁１３の下面側に、下端部１７３ｂ，１７１ｂを前記下面部１７の床梁１５又は妻梁１６の上面側に当接させて固着される。
【００９０】
これらの各スタッド部材１７３，１７１の外側面に形成された取付孔１７３ｃ…，１７１ｃ…には、各外壁部材２２に設けられた前記取付金具１３８の取付孔１３８ａが合わせられて、図３８又は図３９に示すように、ビス１８０…によって交互に固定される。
【００９１】
また、ガスケット部材１８１を目地から取り外した後、ビス１８０を取り外すことにより、外壁部材２２をスタッド部材１７３，１７１から容易に取り外すことができると共に、外壁部材２２の交換等を容易にできる。
【００９２】
そして、図３９に示すように、２枚の外壁部材２２，２２が隣接する幅広スタッド部材１７１配設部分では、外壁部材２２，２２間の溝に、上下方向に沿って長尺状を呈するガスケット部材１８１が埋設される。この際、外壁部材２２，２２間に形成される溝は、前記取付金具１３８，１３８が、隣接する外壁部材２２，２２で、左，右交互に固定されるので、幅狭状に形成出来、ガスケット部材１８１の大きさも小さく出来るので、外観品質を向上させることが出来る。
【００９３】
また、出隅部１７７では、図３７に示すように、コーナ外壁部材２２ａが、前記柱材１８及び前記取付金具１３８…を覆うように装着される。
【００９４】
次に、図３７に示した開口部３１，３１への内壁部材２３，２３の装着について図４１，４２を用いて説明する。
【００９５】
柱材１８の出隅部１７７すなわち出隅用柱には上述の如く幅狭スタッド部材１７３と嵌着溝形成用の金具１７５が設けられていて、この幅狭スタッド部材１７３と金具１７５の先端部１７５ａと前記内側面１７２ｂとの間に嵌着溝１７６が形成されている。従って、出隅部１７７側の内壁部材２３を出隅用柱１７０の嵌着溝１７６と幅広スタッド１７１に取り付けるには、まず、図４１，４２に示すように、内壁部材２３の出隅部１７７側の取付金具１３９…の突出部を嵌着溝１７６に挿入嵌着させる。このため、この出隅部１７７では、釘等の固定具を用いずに、前記内壁部材２３を開口部３１に簡易に固定することが出来る。
【００９６】
この状態で、内壁部材２３の幅広スタッド１７１側の縁部に設けた取付金具１３９の取付孔１３９ａに挿通した木ネジ１３９を木製ブロック１３８に螺着することで、内壁部材２３の幅広スタッド１７１側の縁部に設けた取付金具１３９を幅広スタッド部材１７１に固定する。
【００９７】
また、木製ブロック１７８の位置で隣接する内壁部材２３，２３にそれぞれ設けた多数の取付金具１３９，１３９は、図４０に示すように上下に交互に配置されると共に、木ネジ１７９，１７９によって木製ブロック１７８に固定する。このため、隣接する内壁部材２３，２３の左，右側端面２３ｃ，２３ｃ同士が近接して配置され、大きな目地を形成することがない。
【００９８】
この後、隣接する内壁部材２３，２３間に形成される溝に、上下方向に沿って長尺状を呈するガスケット部材１８２が埋設される。この際、内壁部材２３，２３間に形成される溝は、前記取付金具１３９，１３９が、隣接する内壁部材２３，２３で、左，右交互に固定されるので、幅狭状に形成出来、ガスケット部材１８２の大きさも小さく出来るので、外観品質を向上させることが出来る。更に、壁紙で内壁を仕上げると意匠性が向上し、このましい。
【００９９】
尚、この実施の形態では、前記外壁部材２２と別途内壁部材２３を前記開口部３１に装着できるので、内壁部材２３を装着したまま、前記通常壁ユニット３３を前記棚付き壁ユニット３１に変更できる。このため、更に、製造コストを低減させることが出来る。また、ガスケット部材１８２を外し、木ネジ１７９を取り外すと、内壁部材２３を取り外すことができると共に、内壁部材２３の交換等を容易にできる。
【０１００】
【変形例１】
図４３及び図４４は、この実施の形態の変形例１を示すものである。なお、前記実施の形態１と同一乃至均等な部分については、同一符号を付して説明する。
【０１０１】
この変形例１では、前記外壁部材２２の裏面側に装着された着脱フレーム３９に、リベット孔３９ａを所定間隔をおいて複数形成している。そして、直接リベット１８３…を用いて、屋内側から前記幅広スタッド部材１７１にこの着脱フレーム３９を固着させている。
【０１０２】
このように構成された変形例１では、外壁部材２２，２２間の溝部１８４の幅を更に狭く設定できる。また、リベット１８３…を屋内側から打てて外壁部材２２の装脱着を屋内側から行うことが出来る。尚、外壁部材２２を取り外すときは、専用の工具でリベットを外せば良い。
【０１０３】
また、図４３に示すように、前記幅広スタッド部材１７１の内側位置には、複数の略直方体形状の木製取付ブロック１７８…が所定間隔をおいて固着されている。この木製取付ブロック１７８，１７８間には、スタッド１７１の前記取付孔１７１ｃ…（図４３では図示せず）が位置していて、この取付孔１７１ｃに挿通されるボルト或いは、リベット等が、この木製取付ブロック１７８に干渉しないように構成されている。
【０１０４】
この木製ブロック１７８，１７８には、前記隣接される２枚の内壁部材２３，２３間に位置して、各前記取付金具１３９，１３９を、木ネジ１７９…によって取り付けて固定するように構成されている。
【０１０５】
他の作用、効果については前記実施の形態４と略同様であるので説明を省略する。
【０１０６】
【変形例２】
図４５は、この実施の形態の変形例２を示すものである。なお、前記実施の形態と同一乃至均等な部分については、同一符号を付して説明する。
【０１０７】
この変形例２では、前記幅広スタッド部材１７１の内側面側１７１ｄにウエルドナット１８５が予め固着されている。そして、複数のボルト部材１８６を用いて各前記取付金具１３８…をこの幅広スタッド１７１に固着させるようにしている。
【０１０８】
他の作用、効果については前記実施の形態４と略同様であるので説明を省略する。
【０１０９】
【変形例３】
図４６は、この実施の形態４の変形例３を示すものである。なお、前記実施の形態１と同一乃至均等な部分については、同一符号を付して説明する。
【０１１０】
この変形例３では、前記幅広スタッド部材１７１の内側面１７１ｄに設けられた木製取付ブロック１７８に、木枠１８７を周縁に設けた内壁部材２３が、木ネジ１８８，１８８によって各々取り付けられている。
【０１１１】
このように構成された変形例３では、隣接する内壁部材２３，２３間の溝を略無くすことが出来、外観品質を良好なものとすることが出来る。
【０１１２】
また、内壁部材２３の木製取付ブロック１７８への取付に木ネジ１８８，１８８を用いているので、内壁部材２３を木製取付ブロック１７８から容易に取り外すことができる。
【０１１３】
他の作用、効果については前記実施の形態４と略同様であるので説明を省略する。
【０１１４】
【変形例４】
図４７は、この実施の形態１の変形例４を示すものである。なお、前記実施の形態１と同一乃至均等な部分については、同一符号を付して説明する。
【０１１５】
この変形例４では、前記幅広スタッド部材１７１の内側面側１７１ｄに設けられた金属製中空取付ブロック１８９の内側面に予めウエルドナット１９０，１９０が固着されていて、木枠１８７を周縁に設けた内壁部材２３が、ボルト部材１９１，１９１によって各々取り付けられている。
【０１１６】
このように構成された変形例４では、隣接する内壁部材２３，２３間の溝を略無くすことが出来、外観品質を良好なものとすることが出来る。
【０１１７】
他の作用、効果については前記実施の形態４及び前記変形例３と略同様であるので説明を省略する。
【０１１８】
【変形例５】
図４８は、この実施の形態４の変形例５を示すものである。なお、前記実施の形態１と同一乃至均等な部分については、同一符号を付して説明する。
【０１１９】
この変形例５では、前記着脱フレーム３９，３９の内側面側に予めウエルドナット１９２，１９２が各々固着されていて、屋内側から前記幅広スタッド部材１７１に挿通されるボルト部材１９３，１９３によって各々開口部に取り付けられている。
【０１２０】
なお、上記各変形例１乃至５では、通常壁ユニット３３，３３の外壁部材２２，２２間にガスケット部材１８１を装着しているが特にこれに限らず、例えば、外壁部材２２，２２の隣接する端部間を近接させて、コーキング材を用いて目地を塞ぐようにしてもよい。
【０１２１】
他の作用、効果については前記実施の形態４及び前記変形例１と略同様であるので説明を省略する。
【０１２２】
【変形例６】
図４９は、この実施の形態４の変形例６を示すものである。なお、前記実施の形態４と同一乃至均等な部分については、同一符号を付して説明する。
【０１２３】
この変形例６では、母屋１４０の外壁部１４０ａに形成された開口部１４０ｂと建物ユニット１１０Ａが連結通路１４１を介して連結されている。尚、３４は建物ユニット１１０Ａに設けられた窓付き壁ユニットである。
【０１２４】
また、建物ユニット１１０Ａには、建物ユニット１１Ａが妻面を対向させるように桁方向へ連設されていて、建物ユニット１１０Ａ及び１１１Ａの対向する通常壁ユニット３３，３３が当接させられている。しかも、建物ユニット１１０Ａ及び１１１Ａの隣接する通常壁ユニット３３，３３と建物ユニット１１０Ａ及び１１１Ａの外壁部２１，２１との間には連結通路１４２が形成されていて、建物ユニット１１０Ａと建物ユニット１１Ａはこの連結通路１４２を介して連通している。
【０１２５】
また、連結通路１４２が形成されている床面部には、建物ユニット１１０Ａと１１１Ａに跨って床パネル部材１１７ｂが設けられ、建物ユニット１１０Ａと１１１Ａの間を覆っている。しかも、建物ユニット１１１Ａには、通常壁ユニット３３に沿ってスライドして、連結通路１４２を開閉するスライドドア１４１ａが設けられている。
【０１２６】
このように構成された変形例６では、母屋１４０の外壁部１４０ａ延設方向に沿ってユニット建物を配置でき、更に設置スペース効率を敷地形状に合わせて有効に利用できる。
【０１２７】
また、例えば、建物ユニット１１０Ａ等にはバスユニット１３４，トイレ本体１３５，洗面台１３６等の水周り内装諸設備が設けられていて、これらを集中的に取り付けることで、母屋１４０方向からの上，下水道及びガス配管等が短距離で行えて、更に、施工が簡略化される。
【０１２８】
他の作用、効果については前記実施の形態４と略同様であるので説明を省略する。
【０１２９】
【変形例７】
図５０は、この実施の形態４の変形例７を示すものである。なお、前記実施の形態４と同一乃至均等な部分については、同一符号を付して説明する。
【０１３０】
この変形例７では、実施の形態４のユニット建物に更に、建物ユニット２１１の桁面に桁面を対向させるように妻方向へ連設された建物ユニット３１１が設けられて、連結通路１４２によって連結されている。
【０１３１】
このように構成された変形例７では、母屋１４０から離間する方向への増設が容易に出来る。
【０１３２】
他の作用、効果については前記実施の形態４と略同様であるので説明を省略する。
【０１３３】
この変形例６，７のように、開口部３１を用いて他の建物ユニット１１等の開口部３１と位置を合わせて配置することにより、隣接される建物ユニット１１等の開口部３１との間の連結通路１４２は、前記実施の形態２の図２３に示すような天井パネル９３等を用いた簡易な雨仕舞いで、妻方向或いは桁方向に増設、減設可能である。
【０１３４】
【変形例８】
図５１は、この実施の形態４の変形例８を示すものである。なお、前記実施の形態４と同一乃至均等な部分については、同一符号を付して説明する。
【０１３５】
この変形例８では、実施の形態１の建物ユニット１０と略同様の建物ユニット３１０を単体で用いている。そして、妻側面部の開口部３１には、図７に示すような窓付き壁ユニット３４，３４が並設されて装着されている。
【０１３６】
また、桁側面部の開口部１２７には、通常壁ユニット３３及びドア付き壁ユニット３５が装着されている。
【０１３７】
他の作用、効果については前記実施の形態４と略同様であるので説明を省略する。
【０１３８】
【変形例９】
図５２は、この実施の形態４の変形例９を示すものである。なお、前記実施の形態４と同一乃至均等な部分については、同一符号を付して説明する。
【０１３９】
この変形例９では、実施の形態４の建物ユニット１０と略同様の建物ユニット４１０を単体で用いている。そして、桁側面部の開口部３１には、図７に示すような窓付き壁ユニット３４，３４が並設されて装着されている。
【０１４０】
また、妻側面部の開口部３１には、通常壁ユニット３３及びドア付き壁ユニット３５が装着されている。
【０１４１】
他の作用、効果については前記実施の形態４と略同様であるので説明を省略する。
【０１４２】
【変形例１０】
図５３は、この実施の形態４の変形例１０を示すものである。なお、前記実施の形態４と同一乃至均等な部分については、同一符号を付して説明する。
【０１４３】
この変形例１０では、実施の形態４の建物ユニット１０と略同様の建物ユニット５１０を単体で用いている。そして、桁側面部の開口部３１には、図７に示すような窓付き壁ユニット３４，３４が並設されて装着されている。
【０１４４】
また、妻側面部の開口部３１には、通常壁ユニット３３及びドア付き壁ユニット３５が装着されている。更に、連結通路１４１は柱材１８に隣接する開口部３１に連結されている。
【０１４５】
他の作用、効果については、前記実施の形態４と略同様であるので説明を省略する。
【０１４６】
このため、更に、例えば、老人介護用の簡易家屋等、一定期間のみ利用して、撤去しても、再び他の場所で、利用出来る。
【０１４７】
更に、外壁面材等従来、一棟の構築のみに使用され、建物撤去時に、廃材化されて破棄されていた重建材を、通常壁ユニット３３等に置き換えて、資源の保全を図ることが出来る。
【０１４８】
【変形例１１】
図５４は、この実施の形態１の変形例１１を示すものである。なお、前記実施の形態４と同一乃至均等な部分については、同一符号を付して説明する。
【０１４９】
この変形例１１では、実施の形態１の建物ユニット１０と略同様のモジュールを有する建物ユニット６１０，６２０が用いられている。これらの建物ユニット６１０，６２０は、各妻側側面６１０ａ，６２０ａの長さよりも桁側側面６１０ｂ，６２０ｂの長さが長くなるように設定されている。
【０１５０】
そして、前記建物ユニット６１０の桁側側面６１０ｂに他の建物ユニット６２０の妻側側面６２０ａが、連絡通路１４２を介して連結されている。
【０１５１】
次に、この変形例１１の作用について説明する。
【０１５２】
この変形例１１では、建物ユニット６１０のうち、妻側側面６１０ａの長さよりも長くなるように設定された桁側側面６１０ｂに、この妻側側面６１０ａと略同一長さで、前記桁側側面６１０ｂよりも短い他の建物ユニット６２０の妻側側面６２０ａが、連結されるので、トラック等の同一運搬手段で搬送される略同一モジュールの建物ユニット６１０，６２０だけでも、設計の自由度を増大させて変化に富んだ間取りを至現出来る。
【０１５３】
【変形例１２】
図５５は、この実施の形態４の変形例１２を示すものである。なお、前記実施の形態１と同一乃至均等な部分については、同一符号を付して説明する。
【０１５４】
この変形例１２では、実施の形態４の建物ユニット１０と略同様のモジュールを有する建物ユニット７１０，７２０，７３０が用いられている。これらの建物ユニット７１０，７２０，７３０は、各妻側側面７１０ａ，７２０ａ，７３０ａの長さよりも桁側側面７１０ｂ，７２０ｂ，７３０ｂの長さが長くなるように設定されている。
【０１５５】
そして、前記建物ユニット７１０の桁側側面７１０ｂに他の建物ユニット７２０の妻側側面７２０ａが、連絡通路１４２を介して連結されている。
【０１５６】
更に、この変形例１２では、この連結された建物ユニット７２０の反対側の妻側側面７２０ａに、前記建物ユニット７３０の妻側側面７３０ａが、連絡通路１４２を介して連結されている。
【０１５７】
次に、この変形例１２の作用について説明する。
【０１５８】
この変形例１２では、建物ユニット７１０のうち、妻側側面７１０ａの長さよりも長くなるように設定された桁側側面７１０ｂに、この妻側側面７１０ａと略同一長さで、前記桁側側面７１０ｂよりも短い他の建物ユニット７２０の妻側側面７２０ａが、連結されると共に、更に、前記建物ユニット７３０の妻側側面７３０ａが、この建物ユニット７２０の反対側の妻側側面７２０ａに連結されているので、更に、設計の自由度を増大させて変化に富んだ間取りを至現出来る。
【０１５９】
他の作用、効果については、前記実施の形態１と略同様であるので説明を省略する。
【０１６０】
【変形例１３】
図５６は、この実施の形態４の変形例１３を示すものである。なお、前記実施の形態４と同一乃至均等な部分については、同一符号を付して説明する。
【０１６１】
この変形例１３では、実施の形態１の建物ユニット１０と略同様のモジュールを有する建物ユニット８１０，８２０，８３０が用いられている。これらの建物ユニット８１０，８２０，８３０は、各妻側側面８１０ａ，８２０ａ，８３０ａの長さよりも桁側側面８１０ｂ，８２０ｂ，８３０ｂの長さが長くなるように設定されている。
【０１６２】
そして、前記建物ユニット８１０の桁側側面８１０ｂに他の建物ユニット８２０の妻側側面８２０ａが、連絡通路１４２を介して連結されている。
【０１６３】
更に、この変形例１３では、この連結された建物ユニット８２０の反対側の妻側側面８２０ａに、前記建物ユニット８３０の桁側側面８３０ｂが、連絡通路１４２を介して連結されて、上面視略コ字状を呈して中庭部８３０を形成している。
【０１６４】
次に、この変形例１３の作用について説明する。
【０１６５】
この変形例１３では、建物ユニット８１０のうち、妻側側面８１０ａの長さよりも長くなるように設定された桁側側面８１０ｂに、この妻側側面８１０ａと略同一長さで、前記桁側側面８１０ｂよりも短い他の建物ユニット８２０の妻側側面８２０ａが、連結されると共に、更に、前記建物ユニット８３０の桁側側面８３０ａが、この建物ユニット８２０の反対側の妻側側面８２０ａに連結されて、中庭部８３０を有する上面視略コ字状のユニット建物が構成している。
【０１６６】
このため、例えば、前記バスユニット３４を有する建物ユニット８１０に、明かり取り窓３４ａを有する窓付き壁ユニット３４を設けても、前記建物ユニット８２０及び建物ユニット８３０に隠れて外部からの視線を遮ることが出来る等、更に、設計の自由度を増大させて変化に富んだ間取りを至現出来る。
【０１６７】
他の作用、効果については、前記実施の形態１と略同様であるので説明を省略する。
【０１６８】
【変形例１４】
図５７は、この実施の形態４の変形例１４を示すものである。なお、前記実施の形態４と同一乃至均等な部分については、同一符号を付して説明する。
【０１６９】
この変形例１４では、実施の形態１の建物ユニット１０，１１及びこの建物ユニット１１と略同様のモジュールを有する建物ユニット９１０が用いられている。このうち、建物ユニット１１１，９１０は、各妻側側面１１１ａ，９１０ａの長さよりも桁側側面１１１ｂ，９１０ｂの長さが長くなるように設定されている。
【０１７０】
そして、前記建物ユニット１１１の桁側側面１１１ｂに他の建物ユニット９１０の妻側側面９１０ａが、連絡通路１４２を介して連結されている。
【０１７１】
次に、この変形例１４の作用について説明する。
【０１７２】
この変形例１４では、建物ユニット１１のうち、妻側側面１１１ａの長さよりも長くなるように設定された桁側側面１１１ｂに、この妻側側面１１１ａと略同一長さで、前記桁側側面９１０ｂよりも短い他の建物ユニット９１０の妻側側面９１０ａが、連結されている。
【０１７３】
他の作用、効果については、前記実施の形態１及び各変形例１〜１３と略同様であるので説明を省略する。
【０１７４】
【発明の実施の形態５】
図５８及び図５９は、この実施の形態５を示すものである。なお、前記実施の形態４と同一乃至均等な部分については、同一符号を付して説明する。
【０１７５】
この実施の形態５では、実施の形態４の建物ユニット１０の出隅部７７に位置する柱材１８の側面部に、前記取付金具１３９，１３９の耳部１３９ｂ，１３９ｂを嵌着する嵌着溝１８ｆ，１８ｆが形成されている。
【０１７６】
このように構成された実施の形態２のユニット建物では、柱材１８の側面部に形成された嵌着溝１８ｆ，１８ｆに、前記取付金具１３９，１３９の耳部１３９ｂ，１３９ｂが挿入されて嵌着されて、内壁部材２３，２３が開口部に着脱自在に固定される。
【０１７７】
他の作用、効果については、前記実施の形態４と略同様であるので説明を省略する。
【０１７８】
【変形例１】
図６０は、この実施の形態５の変形例１を示すものである。なお、前記実施の形態５と同一乃至均等な部分については、同一符号を付して説明する。
【０１７９】
この変形例１では、内壁部材２３の側端面２３ｄ略中央部に、一体となるように耳部２３ｅが形成されている。
【０１８０】
他の作用、効果については、前記実施の形態５と略同様であるので説明を省略する。
【０１８１】
【変形例２】
図６１は、この実施の形態５の変形例２を示すものである。なお、前記実施の形態５と同一乃至均等な部分については、同一符号を付して説明する。
【０１８２】
この変形例２では、内壁部材２３の側端面２３ｄの外壁側側端部に沿って、一体となるように耳部２３ｅが形成されている。
【０１８３】
他の作用、効果については、前記実施の形態５の変形例１と略同様であるので説明を省略する。
【０１８４】
【発明の実施の形態６】
図６２は、この発明の実施の形態６を示すものである。なお、前記実施の形態４，５と同一乃至均等な部分については、同一符号を付して説明する。
【０１８５】
この実施の形態６では、上面部（天井）１４を構成する天井梁１２，妻梁１３の下面側に開口部３１方向に膨出する突条縁部（上側壁部）１２ａ，１３ａが一体に形成されている。そして、前記外壁部材２２の上側内側面をこの突条部１２ａ又は１３ａの外側面１２ｂ，１３ｂに当接させて、下側面部１２ｃ，１３ｃよりも下側に前記木枠フレーム３８が位置するように着脱自在に前記外壁部材２２が装着される構成としている。
【０１８６】
このように構成された実施の形態６では、前記突条縁部１２ａ，１３ａの内側に、目地１２ｄ，１３ｄ等の装飾を施しても、前記外壁部材２２及び木枠フレーム３８に干渉せず、装脱着の利便性が向上する。
【０１８７】
他の作用、効果については、前記実施の形態４，５と略同様であるので説明を省略する。
【０１８８】
【変形例１】
図６３は、この実施の形態６の変形例１を示すものである。なお、前記実施の形態４，５と同一乃至均等な部分については、同一符号を付して説明する。
【０１８９】
この変形例１では、前記突条縁部１２ａ，１３ａの内側と上面部１４とのコーナ部に、廻り縁装飾部材（廻り縁）１９４が貼設されている。
【０１９０】
このように構成された実施の形態６の変形例１では、廻り縁装飾部材１９４等の装飾を施しても、前記外壁部材２２及び木枠フレーム３８に干渉せず、装脱着の利便性が向上する。
【０１９１】
他の作用、効果については、前記実施の形態４と略同様であるので説明を省略する。
【０１９２】
【変形例２】
図６４は、この実施の形態６の変形例２を示すものである。なお、前記実施の形態５と同一乃至均等な部分については、同一符号を付して説明する。
【０１９３】
この変形例２では、前記突条縁部１２ａ，１３ａの内側に、廻り縁装飾部材（廻り縁）１９４ａが貼設されている。この廻り縁装飾部材１９４ａは、下端部１９４ｂを前記下側面部１２ｃ，１３ｃよりも下方へ向けて突設させている。これにより、前記廻り縁装飾部材１９４ａの下縁部は壁ユニット３３の開口部３１への嵌着部すなわち内壁部材２３と突条縁部１２ａ，１３ａ（上側壁部）の下縁との間を覆っている。
【０１９４】
他の作用、効果については、前記実施の形態６の変形例１と略同様であるので説明を省略する。
【０１９５】
【変形例３】
図６５は、この実施の形態６の変形例３を示すものである。なお、前記実施の形態６と同一乃至均等な部分については、同一符号を付して説明する。
【０１９６】
この変形例３では、前記突条縁部１２ａ，１３ａの内側に、廻り縁装飾部材（廻り縁）１９４ａが貼設されている。そして、この廻り縁装飾部材１９４ａよりも屋外側で、しかも、前記下側面部１２ｃ，１３ｃ内側位置の開口部３１には、前記内壁部材２３が着脱可能に装着されている。
【０１９７】
他の作用、効果については、前記実施の形態６と略同様であるので説明を省略する。
【０１９８】
【発明の実施の形態７】
図６６は、この発明の実施の形態７を示すものである。なお、前記実施の形態４乃至６と同一乃至均等な部分については、同一符号を付して説明する。
【０１９９】
この実施の形態７では、図３に示した建物ユニット１０床梁１５，妻梁１６等からなる下面部（建物床面）１７によって構成された開口部３１の下側辺３１ａに、下端部１９５ａを当接させて、変形する軟質材料（軟質カバー部材）としてのゴム製巾木（カバー手段）１９５が、内壁部材２３の内壁面の下縁部に貼設されている。
【０２００】
このように構成された実施の形態４では、前記下面部１３の開口部３１下側辺３１ｄと、木枠フレーム３３の下面部３３ａとの間に間隙ａが発生しても、前記下端部９５ａが変形して塞ぐので、密閉性及び外観品質が良好に保持出来る。
【０２０１】
他の作用、効果については、前記実施の形態４乃至６と略同様であるので説明を省略する。
【０２０２】
【変形例１】
図６７は、この実施の形態７の変形例１を示すものである。なお、前記実施の形態７と同一乃至均等な部分については、同一符号を付して説明する。
【０２０３】
この変形例１では、前記突条縁部１２ａ，１３ａの内側に、巾木装飾部材（カバー手段）１９６が貼設されている。この巾木装飾部材１９６は、硬質材料で構成されたガイド部１９６ａ内側にゴム等の軟質材料（軟質カバー部材）で構成された柔軟変形部１９６ｂが設けられて、この柔軟変形部１９６ｂの下端部１９６ｃを前記開口部３１の下側辺３１ｄに当接させている。
【０２０４】
このように構成された変形例１では、開口部３１下側辺３１ｄ（下面部１７）と、木枠フレーム３８の下面部３８ａとの間に間隙ａが発生しても、前記下端部１９６ｃが変形して塞ぐので、密閉性及び外観品質が良好に保持出来る。
【０２０５】
他の作用、効果については、前記実施の形態４と略同様であるので説明を省略する。
【０２０６】
【変形例２】
図６８は、この実施の形態７の変形例２を示すものである。なお、前記実施の形態７及び変形例１と同一乃至均等な部分については、同一符号を付して説明する。
【０２０７】
この変形例２では、前記内壁部材２３の内壁面の下縁部に、巾木装飾部材１９７が貼設されている。この巾木装飾部材１９７は、硬質材料で構成されたガイド部１９７ａの内側に空洞部１９７ｂが形成されている。この空洞部１９７ｂ内には、ゴム等の軟質材料（軟質カバー部材）で構成された柔軟変形部材（カバー手段）１９７ｃが上下方向に沿ってスライド移動可能に設けられていて、この柔軟変形部材１９７ｃの下端部１９７ｄを前記開口部３１の下側辺３１ｄに当接させている。
【０２０８】
このように構成された変形例２では、前記下面部１７の開口部３１の下側辺３１ｄと、木枠フレーム３８の下面部３８ａとの間に間隙ａが発生しても、前記柔軟変形部材１９７ｃが上下方向に沿ってスライド移動して下端部１９７ｄを当接させて塞ぐので、密閉性及び外観品質が良好に保持出来る。
【０２０９】
他の作用、効果については、前記実施の形態４と略同様であるので説明を省略する。
【０２１０】
【変形例３】
図６９は、この実施の形態７の変形例３を示すものである。なお、前記実施の形態７及び変形例１，２と同一乃至均等な部分については、同一符号を付して説明する。
【０２１１】
この変形例３では、前記内壁部材２３の内側に、巾木装飾部材１９８が貼設されている。この巾木装飾部材１９８は、硬質材料で構成されたガイド部１９８ａの内側に空洞部１９８ｂが形成されている。この空洞部１９８ｂ内には、ゴム等の軟質材料（軟質カバー部材）で構成された柔軟変形部材（カバー手段）１９８ｃが上下方向に沿ってスライド移動可能に設けられている。
【０２１２】
そして、この柔軟変形部材１９８ｃの下端部１９８ｄが、この空洞部内１９８ｂに設けられたバネ部材（弾性体）１９８ｅによって下方へ向けて付勢されて、前記開口部３１の下側辺３１ｄに当接されている。
【０２１３】
このように構成された変形例３では、前記下面部１７の開口部３１の下側辺３１ｄと、木枠フレーム３８の下面部３４ａとの間に間隙ａが発生しても、前記柔軟変形部材１９８ｃが前記バネ部材１９８ｅによって下方向に付勢されてスライド移動して、下端部１９７ｄを当接させて塞ぐので、密閉性及び外観品質が良好に保持出来る。
【０２１４】
他の作用、効果については、前記実施の形態４と略同様であるので説明を省略する。
【０２１５】
以上、本発明の実施の形態４乃至７及び各変形例を説明したが、本発明は前記実施の形態４乃至７及び各変形例に限定されるものではなく、本発明の要旨を逸脱しない範囲の設計変更等があっても本発明に含まれる。
【０２１６】
例えば、前記実施の形態１の建物ユニット１０では、妻側側面に２カ所、両桁側側面に２カ所づつ、合計６箇所の開口部３１…が形成されているが、特にこれに限らず、例えば、壁面部に、一箇所ずつ、壁ユニットが装着される開口部３１を形成する等、開口部３１の数量、形状、材料等が、限定されるものではなく、前記傾斜屋根部材２５等によって上面部の雨仕舞いが、また、前記壁面部材２１によって側面部の雨仕舞いが略完了するものであるならばよい。
【０２１７】
上述したように、壁ユニットを互いに別体に形成された外壁部材２２と内壁部材２３から構成して、外壁部材２２は屋外側から開口部３１に着脱可能に取り付けられているが、外壁部材２２は室内側から開口部３１に着脱可能に取り付けるようにすることもできる。また、内壁部材２３は室内側から開口部３１に着脱可能に取り付けられている。
【０２１８】
【発明の効果】
以上説明したように、請求項１の発明によれば、母屋の開口部に建物ユニットの開口部を通路口として連結することにより、建物ユニットを容易に連結して増設することができる。
【０２１９】
また、請求項２の発明によれば、建物ユニットの開口部がフレーム柱間の壁面部に形成されているので、開口部が、例えば、車椅子を用いる要介護者等の通行に必要とされる開口面積を充分確保出来る。
【０２２０】
請求項３の発明によれば、母屋の開口部と、建物ユニットの開口部とが連絡通路又は連結通路を介して連結されているので、増設された建物ユニット部分は、母屋に対して離れとなって使い勝手のよいものとなる。
【０２２１】
請求項４の発明によれば、母屋に連結された建物ユニットの母屋の開口部に連結された開口部とは別の開口部に、他の建物ユニットの開口部を連結するので、広い増設部分が得られ、使い勝手がよいものとなる。
【０２２２】
請求項５の発明によれば、他の建物ユニットには開口部が複数設けられ、他の建物ユニットの建物ユニットに連結されていない別の開口部に、さらに別の建物ユニットの開口部を連結するので、さらに広い増設部分が得られ、使い勝手がよいものとなる。
【０２２３】
請求項６の発明によれば、母屋の外壁部の延設方向に沿って複数の建物ユニットを配置するので、広い増設部分が得られ、設置スペース効率を敷地形状に合わせて有効に利用できる。
【０２２４】
請求項７の発明によれば、請求項１〜６のいずれか１項記載の建物の増設方法において、開口部が、例えば、車椅子を用いる要介護者等の通行に必要とされる開口面積を充分確保出来、容易に介護用住宅を増設できる。
【０２２５】
請求項８の発明によれば、増設部分が不要になった際には、その増設部分が容易に撤去して元の母屋に戻すことができる。
【０２２６】
請求項９の発明によれば、撤去した建物ユニットを他の場所でリサイクルできる。
【図面の簡単な説明】
【図１】本発明の実施の形態１にかかるシステム壁構造を用いたユニット建物のうち、一建物ユニットの構成を説明する平面図である。
【図２】この発明の実施の形態１のシステム壁構造を用いたユニット建物のうち、他の建物ユニットの構成を説明する平面図である。
【図３】実施の形態１の建物ユニットを形成するフレーム枠体の構成を説明し、スタッドの取り付けの様子を説明する斜視図である。
【図４】実施の形態１のシステム壁構造に用いられる壁ユニットの組み付けの様子を説明し、要部の斜視図である。
【図５】実施の形態１のシステム壁構造で、図１中Ａ−Ａ線に沿った位置での一般壁面部の構成を説明する断面図である。
【図６】実施の形態１のシステム壁構造に用いられる壁ユニットで、図４中Ｂ−Ｂ線に沿った位置での一般壁面部の構成を説明する断面図である。
【図７】実施の形態１で、窓付壁ユニットの斜視図である。
【図８】実施の形態１で、ドア付き壁ユニットの斜視図である。
【図９】実施の形態１で、棚付壁ユニットの斜視図である。
【図１０】実施の形態１で、出窓付き壁ユニットの斜視図である。
【図１１】実施の形態１で、収納部付壁ユニットの斜視図である。
【図１２】実施の形態１で、載置台付壁ユニットの斜視図である。
【図１３】実施の形態１で、補強部材付壁ユニットの斜視図である。
【図１４】実施の形態１で、補強部材付壁ユニットの使用例を説明する壁部断面図である。
【図１５】実施の形態１で、洗面器付壁ユニットの斜視図である。
【図１６】実施の形態１で、他の洗面器付壁ユニットの斜視図である。
【図１７】実施の形態１で、洗面器付壁ユニットを装着する様子を説明する模式図である。
【図１８】実施の形態１で、水タンク付き壁ユニットの斜視図である。
【図１９】実施の形態１のシステム壁構造を用いたユニット建物の平面図である。
【図２０】実施の形態１の変形例１で、システム壁構造を用いたユニット建物の平面図である。
【図２１】実施の形態１の変形例２で、棚付き壁ユニットを屋外側から見た分解斜視図である。
【図２２】本発明の実施の形態２のシステム壁構造を用いたユニット建物で、増減設の様子を説明する模式図である。
【図２３】実施の形態２のシステム壁構造を用いたユニット建物で、図２２中Ｃ−Ｃ線に沿った位置での断面図である。
【図２４】実施の形態３の建物ユニットを形成するフレーム枠体の構成を説明し、スタッドの取り付けの様子を説明する斜視図である。
【図２５】実施の形態３で、窓付壁ユニットの外壁部材の斜視図である。
【図２６】実施の形態３で、ドア付き壁ユニットの外壁部材の斜視図である。
【図２７】実施の形態３で、棚付壁ユニットの外壁部材の斜視図である。
【図２８】実施の形態３で、出窓付き壁ユニットの外壁部材の斜視図である。
【図２９】実施の形態３で、収納部付壁ユニットの内壁部材の斜視図である。
【図３０】実施の形態３で、載置台付壁ユニットの内壁部材の斜視図である。
【図３１】実施の形態３で、洗面器付壁ユニットの内壁部材の斜視図である。
【図３２】実施の形態３で、洗面器付壁ユニットを装着する様子を説明する模式図である。
【図３３】実施の形態３で、水タンク付き壁ユニットの内壁部材の斜視図である。
【図３４】実施の形態３で、全面が壁面となる壁ユニットの内壁部材の斜視図である。
【図３５】実施の形態３で、窓付きの壁ユニットの内壁部材の斜視図である。
【図３６】実施の形態３で、通路用の開口を有する壁ユニットの内壁部材の斜視図である。
【図３７】本発明の実施の形態４の建物ユニットの構成を説明する分解斜視図である。
【図３８】本発明の実施の形態４の建物ユニットで、外壁部材の取付を説明する斜視図である。
【図３９】本発明の実施の形態４の建物ユニットで、外壁部材の取付を説明する正面図である。
【図４０】本発明の実施の形態４の建物ユニットで、幅広スタッド部材近傍での内壁部材の取付を説明する正面図である。
【図４１】本発明の実施の形態４の建物ユニットで、出隅部の柱材近傍での内壁部材の取付を説明する斜視図である。
【図４２】本発明の実施の形態４の建物ユニットで、出隅部の柱材近傍での内壁部材の取付を説明する水平断面図である。
【図４３】実施の形態４の変形例１で、外壁部材を幅広スタッド部材に取り付ける様子を説明する分解斜視図である。
【図４４】実施の形態４の変形例１で、幅広スタッド部材近傍の水平断面図である。
【図４５】実施の形態４の変形例２で、幅広スタッド部材近傍の水平断面図である。
【図４６】実施の形態４の変形例３で、幅広スタッド部材近傍の水平断面図である。
【図４７】実施の形態４の変形例４で、幅広スタッド部材近傍の水平断面図である。
【図４８】実施の形態４の変形例５で、幅広スタッド部材近傍の水平断面図である。
【図４９】実施の形態４の変形例６で、建物ユニットの組合わせプランの一例を示すユニット建物の水平断面図である。
【図５０】実施の形態４の変形例７で、建物ユニットの組合わせプランの一例を示すユニット建物の水平断面図である。
【図５１】実施の形態４の変形例８で、建物ユニットの組合わせプランの一例を示すユニット建物の水平断面図である。
【図５２】実施の形態４の変形例９で、建物ユニットの組合わせプランの一例を示すユニット建物の水平断面図である。
【図５３】実施の形態４の変形例１０で、建物ユニットの組合わせプランの一例を示すユニット建物の水平断面図である。
【図５４】実施の形態４の変形例１１で、建物ユニットの組合わせプランの一例を示すユニット建物の水平断面図である。
【図５５】実施の形態４の変形例１２で、建物ユニットの組合わせプランの一例を示すユニット建物の水平断面図である。
【図５６】実施の形態４の変形例１３で、建物ユニットの組合わせプランの一例を示すユニット建物の水平断面図である。
【図５７】実施の形態４の変形例１４で、建物ユニットの組合わせプランの一例を示すユニット建物の水平断面図である。
【図５８】本発明の実施の形態５のユニット建物を示し、柱材と内壁部材との装着位置関係を説明する水平方向断面図である。
【図５９】本発明の実施の形態５のユニット建物を示し、要部の拡大断面図である。
【図６０】本発明の実施の形態５の変形例１で、内壁部材の端縁部の拡大断面図である。
【図６１】本発明の実施の形態５の変形例２で、内壁部材の端縁部の拡大断面図である。
【図６２】本発明の実施の形態６のユニット建物を示し、開口部の鉛直方向に沿った位置での断面図である。
【図６３】本発明の実施の形態６の変形例１のユニット建物で、開口部の鉛直方向に沿った位置での断面図である。
【図６４】本発明の実施の形態６の変形例２のユニット建物で、開口部の鉛直方向に沿った位置での断面図である。
【図６５】本発明の実施の形態６の変形例３のユニット建物で、開口部の鉛直方向に沿った位置での断面図である。
【図６６】本発明の実施の形態７のユニット建物で、開口部下縁近傍での拡大断面図である。
【図６７】本発明の実施の形態７の変形例１のユニット建物で、開口部下縁近傍での拡大断面図である。
【図６８】本発明の実施の形態７の変形例２のユニット建物で、開口部下縁近傍での拡大断面図である。
【図６９】本発明の実施の形態７の変形例３のユニット建物で、開口部下縁近傍での拡大断面図である。
【符号の説明】
１・・・  ユニット建物
１０・・・  建物ユニット
１１・・・  建物ユニット
１２ａ・・・  突条縁部（上側壁部）
１３ａ・・・  突条縁部（上側壁部）
１８・・・  柱材
１８ｆ・・・  嵌着溝
２１・・・  壁面部材
２２・・・  外壁部材
２３・・・  内壁部材
３２・・・  スタッド
３３・・・  通常壁ユニット
３４・・・  窓付き壁ユニット
３５・・・  壁ユニット
３５ａ・・・  勝手口ドア本体
３６・・・  棚付き壁ユニット
３７・・・  出窓付き壁ユニット
３８・・・  木枠フレーム
３８ａ・・・  下面部
３９・・・  着脱フレーム（取付ステイ部材）
４０・・・  ボルト部材
４１・・・  収納部付壁ユニット
４４・・・  載置台付壁ユニット
４６・・・  補強部材付壁ユニット
４８・・・  洗面器付壁ユニット
７０・・・  洗面器付壁ユニット
７３・・・  水タンク付壁ユニット
７４・・・  水タンク
１０１建物ユニット
８０・・・  棚付壁ユニット
１１０・・・  建物ユニット
１１０Ａ・・・  建物ユニット
１１１Ａ・・・  建物ユニット
１３８・・・  取付金具（外壁取付部材）
１３９・・・  取付金具（内壁取付部材）
１３９ｂ・・・  耳部
１７１・・・  幅広スタッド部材
１７２・・・  木柱
１７３・・・  幅狭スタッド部材
１７６・・・  嵌着溝
１７８・・・  木製取付ブロック
１９４・・・  廻り縁装飾部材（廻り縁）
１９４ａ・・・  廻り縁装飾部材
１９５・・・  ゴム製巾木（カバー手段）
１９５ａ・・・  下端部
１９６・・・  巾木装飾部材（カバー手段）
１９７・・・  巾木装飾部材
１９７ｃ・・・  柔軟変形部材（カバー手段）
１９８・・・  巾木装飾部材
１９８ａ・・・  ガイド部
１９８ｃ・・・  柔軟変形部材（カバー手段）
１９８ｅ・・・  バネ部材（弾性体）
２０１・・・  ユニット建物
２１１・・・  建物ユニット
３１１・・・  建物ユニット
３１０・・・  建物ユニット
５１０・・・  建物ユニット
６１０，６２０・・・  建物ユニット
７１０，７２０，７３０・・・  建物ユニット
８１０，８２０，８３０・・・  建物ユニット
９１０・・・  建物ユニット
ａ・・・  間隙
【図１】
0003545968.tif 000002
【図２】
0003545968.tif 000003
【図３】
0003545968.tif 000004
【図４】
0003545968.tif 000005
【図５】
0003545968.tif 000006
【図６】
0003545968.tif 000007
【図７】
0003545968.tif 000008
【図８】
0003545968.tif 000009
【図９】
0003545968.tif 000010
【図１０】
0003545968.tif 000011
【図１１】
0003545968.tif 000012
【図１２】
0003545968.tif 000013
【図１３】
0003545968.tif 000014
【図１４】
0003545968.tif 000015
【図１５】
0003545968.tif 000016
【図１６】
0003545968.tif 000017
【図１７】
0003545968.tif 000018
【図１８】
0003545968.tif 000019
【図１９】
0003545968.tif 000020
【図２０】
0003545968.tif 000021
【図２１】
0003545968.tif 000022
【図２２】
0003545968.tif 000023
【図２３】
0003545968.tif 000024
【図２４】
0003545968.tif 000025
【図２５】
0003545968.tif 000026
【図２６】
0003545968.tif 000027
【図２７】
0003545968.tif 000028
【図２８】
0003545968.tif 000029
【図２９】
0003545968.tif 000030
【図３０】
0003545968.tif 000031
【図３１】
0003545968.tif 000032
【図３２】
0003545968.tif 000033
【図３３】
0003545968.tif 000034
【図３４】
0003545968.tif 000035
【図３５】
0003545968.tif 000036
【図３６】
0003545968.tif 000037
【図３７】
0003545968.tif 000038
【図３８】
0003545968.tif 000039
【図３９】
0003545968.tif 000040
【図４０】
0003545968.tif 000041
【図４１】
0003545968.tif 000042
【図４２】
0003545968.tif 000043
【図４３】
0003545968.tif 000044
【図４４】
0003545968.tif 000045
【図４５】
0003545968.tif 000046
【図４６】
0003545968.tif 000047
【図４７】
0003545968.tif 000048
【図４８】
0003545968.tif 000049
【図４９】
0003545968.tif 000050
【図５０】
0003545968.tif 000051
【図５１】
0003545968.tif 000052
【図５２】
0003545968.tif 000053
【図５３】
0003545968.tif 000054
【図５４】
0003545968.tif 000055
【図５５】
0003545968.tif 000056
【図５６】
0003545968.tif 000057
【図５７】
0003545968.tif 000058
【図５８】
0003545968.tif 000059
【図５９】
0003545968.tif 000060
【図６０】
0003545968.tif 000061
【図６１】
0003545968.tif 000062
【図６２】
0003545968.tif 000063
【図６３】
0003545968.tif 000064
【図６４】
0003545968.tif 000065
【図６５】
0003545968.tif 000066
【図６６】
0003545968.tif 000067
【図６７】
0003545968.tif 000068
【図６８】
0003545968.tif 000069
【図６９】
0003545968.tif 000070